(57)【要約】      （修正有）【課題】液体の形態の変化を外的刺激と関連させて楽しむディスプレイ装置を提供する。【解決手段】アクアディスプレイ装置Ａは、第１の筐体１と、この第１の筐体１の例えば下方に重ねられて配置される第２の筐体３と、を有している。第１の筐体１は、例えば上方に開口を有し、透明な箱体（容器）１１を有している。この箱体１１の底面側に第２の筐体３が配置されている。透明な箱体１１内には、流体１５を入れておく。箱体の底面には、例えばプラスチック製の支持部１７と、この支持部１７により水平方向（水面１５ａに平行な方向）に支持される弾性を有する弾性片（例えばプラスチック製の板）２１と、弾性片２１の上面に設けられた磁石２３と、磁石を囲むように配置される基部２５ａと、基部２５ａから上方に延びる支柱部２５ｂと、支柱部２５ｂの先端に設けられた上方に球面が配置される例えば半球上の揺動部２５ｃと、を有している。【選択図】図１
2009020480.tif 000002
【特許請求の範囲】
【請求項１】
第１の筐体からなる容器内の液体に対して、第１の周波数で振動を与え前記液体表面に波紋を発生させる波紋発生部と、
前記液体に対して前記第１の周波数と近似する周波数である第２の周波数で点滅するストロボ光を照射する光照射部と、
前記第２の周波数を調整することにより前記ストロボ光の点滅周期を変調させる光変調部と、
該光変調部における変調の度合いを外部信号に基づいて調整する変調度調整部と
を有することを特徴とするディスプレイ装置。
【請求項２】
前記波紋発生部は、
前記第１の筐体に設けられる磁石と、
液体に配置され、該磁石の揺動に従って揺動する揺動部と、
前記第１の筐体と隣接して配置される第２の筐体であって、前記磁石と対向して配置され前記第１の周波数で前記磁石を揺動させる電磁石と、を有し、
液体表面に波紋を発生させることを特徴とする請求項１に記載のディスプレイ装置。
【請求項３】
前記第１の筐体の底面に光の反射板を設けることを特徴とする請求項１又は２に記載のディスプレイ装置。
【請求項４】
前記変調度調整部は、
外部信号を入力する外部信号入力端子と、
該外部入力端子からの外部信号をＡ／Ｄ変換によって数値化し、周波数変調の度合を決定し、周波数変調したパルス信号として前記光照射部に出力する制御部とを有することを特徴とする請求項１から３までのいずれか１項に記載のディスプレイ装置。
【請求項５】
前記揺動部は、ポイント部材を液面に対して上下方向に揺動させる部材を含むことを特徴とする請求項１から４までのいずれか１項に記載のディスプレイ装置。
【請求項６】
前記揺動部は、板を液面に対して垂直方向に揺動させる板状部材を含むことを特徴とする請求項１から４までのいずれか１項に記載のディスプレイ装置。
【請求項７】
第１の筐体からなる容器内の流体に対して、第１の周波数で振動を与え前記流体の表面に波紋を発生させる波紋発生部と、
前記流体に対して前記第１の周波数と近似する周波数である第２の周波数で点滅するストロボ光を照射するストロボ光照射部と、
前記第２の周波数を調整することにより前記ストロボ光を変調させる光変調部と、
該光変調部における変調の度合いを、マクロフォン端子から入力される外部音声信号に基づいて調整する変調度調整部と
を有することを特徴とするアクアディスプレイ装置。
【請求項８】
動体に対して、第１の周波数で振動を与えることで前記動体を揺動させる揺動発生部と、
前記動体に対して前記第１の周波数と近似する周波数である第２の周波数で点滅するストロボ光を照射する光照射部と、
前記第２の周波数を調整することにより前記ストロボ光の点滅周期を変調させる光変調部と、
該光変調部における変調の度合いを外部信号に基づいて調整する変調度調整部と
を有することを特徴とするディスプレイ装置。
【請求項９】
第１の周波数で振動する噴出部より流体を噴出させ、噴出された前記流体の軌跡に遥動を与える液体噴出揺動部と、
前記流体に対して前記第１の周波数と近似する周波数である第２の周波数で点滅するストロボ光を照射する光照射部と、
前記第２の周波数を調整することにより前記ストロボ光の点滅周期を変調させる光変調部と、
該光変調部における変調の度合いを外部信号に基づいて調整する変調度調整部と
を有することを特徴とするディスプレイ装置。
【請求項１０】
前記液体噴出揺動部は、磁石を取り付けた噴出部と、該磁石に対向する位置に設けられ前記第１の周波数で前記磁石を介して前記噴出部を揺動させる電磁コイルと、を有することを特徴とする請求項９に記載のディスプレイ装置。
【請求項１１】
前記液体噴出揺動部は、流体用ポンプと接続され、前記流体を循環させるとともに、流体の噴出量の調整を行う調整部を有することを特徴とする請求項９又は１０に記載のディスプレイ装置。
【発明の詳細な説明】
【技術分野】
【０００１】
本発明は、ディスプレイ装置に関し、外部応力により液体などの流体に動きを与えてディスプレイに利用するアクアディスプレイ装置に関する。
【背景技術】
【０００２】
従来から、種々のディスプレイ装置が開発されている。例えば、特許文献１に記載の投射装置では、揺動部材により液面に波紋を形成するとともに、液面に照明光を投射するディスプレイ装置が開示されている。
【０００３】
【特許文献１】特開２００６−１８５６５１号公報
【発明の開示】
【発明が解決しようとする課題】
【０００４】
上記装置では、揺動部材を駆動する駆動装置により、液面に波紋を形成している。
しかしながら、モータにより揺動部材を揺動させる機構であり、ユーザがモータの回転数等を設定することはできても、波紋の変化を何らかの外的刺激と関連させて楽しむものではない。
【０００５】
本発明は、流体の動きの変化を外的刺激と関連させて楽しむことができるディスプレイ装置を提供することを目的とする。
【課題を解決するための手段】
【０００６】
本発明の一観点によれば、第１の筐体からなる容器内の液体に対して、第１の周波数で
振動を与え前記液体表面に波紋を発生させる波紋発生部と、前記液体に対して前記第１の周波数と近似する周波数である第２の周波数で点滅するストロボ光を照射する光照射部と、前記第２の周波数を調整することにより前記ストロボ光の点滅周期を変調させる光変調部と、該光変調部における変調の度合いを外部信号に基づいて調整する変調度調整部とを有することを特徴とするディスプレイ装置が提供される。
【０００７】
前記波紋発生部は、前記第１の筐体に設けられる磁石と、液体に配置され、該磁石の揺動に従って揺動する揺動部と、前記第１の筐体と隣接して配置される第２の筐体であって、前記磁石と対向して配置され前記第１の周波数で前記磁石を揺動させる電磁石と、を有し、液体表面に波紋を発生させることが好ましい。
【０００８】
前記第１の筐体の底面に光の反射板を設けておく。前記変調度調整部は、外部信号を入力する外部信号入力端子と、該外部入力端子からの外部信号をＡ／Ｄ変換によって数値化し、周波数変調の度合を決定し、周波数変調したパルス信号として前記光照射部に出力する制御部とを有することが好ましい。
【０００９】
また、前記揺動部は、ポイント部材を液面に対して上下方向に揺動させる部材を含むことが好ましい。また、前記揺動部は、板を液面に対して垂直方向に揺動させる板状部材を含むことが好ましい。
【００１０】
また、第１の筐体からなる容器内の液体に対して、第１の周波数で振動を与え前記液体の表面に波紋を発生させる波紋発生部と、前記液体に対して前記第１の周波数と近似する周波数である第２の周波数で点滅するストロボ光を照射するストロボ光照射部と、前記第２の周波数を調整することにより前記ストロボ光を変調させる光変調部と、該光変調部における変調の度合いを、マクロフォン端子から入力される外部音声信号に基づいて調整する変調度調整部と、を有することを特徴とするアクアディスプレイ装置が提供される。
【００１１】
本発明は、動体に対して、第１の周波数で振動を与えることで前記動体を揺動させる揺動発生部と、前記動体に対して前記第１の周波数と近似する周波数である第２の周波数で点滅するストロボ光を照射する光照射部と、前記第２の周波数を調整することにより前記ストロボ光の点滅周期を変調させる光変調部と、該光変調部における変調の度合いを外部信号に基づいて調整する変調度調整部と、を有することを特徴とするディスプレイ装置であっても良い。
【００１２】
また、第１の周波数で振動するノズルより流体を噴出し、噴出された前記流体の軌跡に遥動を与える液体噴出揺動部と、前記流体に対して前記第１の周波数と近似する周波数である第２の周波数で点滅するストロボ光を照射する光照射部と、前記第２の周波数を調整することにより前記ストロボ光の点滅周期を変調させる光変調部と、該光変調部における変調の度合いを外部信号に基づいて調整する変調度調整部と、を有することを特徴とするディスプレイ装置であっても良い。
【００１３】
前記液体噴出揺動部は、磁石を取り付けた噴出部（ノズル）と、該磁石に対向した位置に設けられ前記第１の周波数で前記磁石を揺動させる電磁コイルと、を有することが好ましい。前記液体噴出揺動部は、流体用ポンプと接続され、前記流体を循環させるとともに、流体の噴出量の調整を調整する調整部を有するようにしても良い。
【発明の効果】
【００１４】
本発明によれば、液体の動く周期（振動数）と近似する周期で発光するストロボ光を照射することで、くり返し同じ液体の形状が残像として見えるため、静止画像の様に見える。また、ストロボ光の周期をわずかに変化させた場合には、変化した時間方向に液体の形状も変化するため、ゆっくりと動いているように見える。外的刺激や内部操作によってこの周期を制御して、間接的に波紋を変化させることができる。
【発明を実施するための最良の形態】
【００１５】
以下に、本発明の実施の形態によるディスプレイ装置について図面を参照しながら説明を行う。図１から図３までは、本発明の第１の実施の形態によるアクアディスプレイ装置Ａの一構成例を示す図であり、図１は側面図であり、図２は正面図であり、図３は背面図である。
【００１６】
また、図９（Ａ）と図９（Ｂ）とは、本実施の形態とは異なる実施の形態（第１変形例と称する。）によるアディスプレイ装置Ｂの一構成例を示す図であり、図９（Ａ）は側面図であり、図９（Ｂ）は背面図である。また、図１０（Ａ），（Ｂ）は、噴出部の詳細な構成例を示す図である。以下、適宜、第１変形例と対比させながら本実施の形態について説明する。
【００１７】
図１から図３までに示すように、本実施の形態によるアクアディスプレイ装置Ａは、第１の筐体１と、この第１の筐体１の例えば下方に重ねられて配置される第２の筐体３と、を有している。第１の筐体１は、例えば上方に開口を有し、透明な箱体（容器）１１を有している。この箱体１１の底面側に第２の筐体３が配置されている。換言すれば、第２の筐体３上に箱体１１が載せられている。
【００１８】
一方、図９に示すアクアディスプレイ装置Ｂは、例えば筐体２１１の上方に、上面板２１１ａと側面板２１１ｂとにより囲まれ下方に開口を有する枠対２１０が設けられ、その中に液体の噴出ノズル２１７が設けられ、下方には液体を保持することができる容器（受け皿）２２５が配置されている。両者２１１・２２５間の空間はディスプレイ用の空間として開放されている。
【００１９】
例えば、アクアディスプレイ装置Ａにおいて、透明な箱体１１内に、流体１５を入れておく。同じくアクアディスプレイ装置Ｂにおいて、受け皿２２５内に、流体(２２３)を入れておく。尚、流体としては、液体・気体のいずれでも良いが、一般的には、安全かつ安価な水（Ｈ２Ｏ）又はそれをベースにした液体が好ましい。アクアディスプレイ装置Ａにおいては、破線１５ａで示される高さ方向の位置まで水を入れておく。尚、下記の実施の形態では、透明な容器を用いた場合を例にして説明するが、容器は透明である場合に限らず、不透明又は半透明な陶器製の容器等も候補に入るものであり、限定的に記載したものではない。
【００２０】
アクアディスプレイ装置Ａにおいて、箱体の底面には、例えばプラスチック製の支持部１７と、この支持部１７により水平方向（水面１５ａに平行な方向）に支持される弾性を有する弾性片（例えばプラスチック製の板）２１と、弾性片２１の上面に設けられた磁石２３と、磁石を囲むように配置される基部２５ａと、基部２５ａから上方に延びる支柱部２５ｂと、支柱部２５ｂの先端に設けられた上方に球面が配置される例えば半球上の揺動部２５ｃと、を有している。揺動部２５ｃは、例えば、水面１５ａと略同じ位置になるように配置されるのが好ましい。弾性片２１は底面とはある距離だけ離間している。
【００２１】
上記構成によれば、例えば、磁石２３が上下方向に振動すると、揺動部２５ｃも水面１
５ａ付近で上下方向に揺動する。また、箱体の底面には、例えばホログラム板や鏡面の板
などの反射機能を有する部材が設けられている。
【００２２】
一方、第２の筐体３は、例えば磁石２３と対向する位置に設けられた電磁石であって、第２の筐体３の上面において支持する支持部とを兼ねる部分３５ａを含む電磁石３５と、第２の筐体３の側面から第１の筐体の液面１５ａを照らす位置まで延びるスタンド３７と、スタンドの先端に取り付けられ、ＬＥＤ光（ストロボ光）４３を液面１５ａに照射するＬＥＤランプ４１を有している。
【００２３】
さらに、第２の筐体３には、電磁石３５やランプ４１を駆動するための制御部３３が設
けられている。また、電源スイッチ５１と、外部入力感度調整ツマミ５３と、マイクロフォン端子５５、外部入力端子５７、電源入力端子６１が設けられている。
【００２４】
アクアディスプレイ装置Ｂにおいて、筐体２１１の上方に、磁石２１９を取り付けたノズル２１７が、例えばシリコンチューブ２２１などの柔軟な構造により設けられており、このノズル２１７が、筐体２１１に保持されている。
【００２５】
ノズル２１７は、コントロールボックス２２７内のポンプ２４２と接続され、受け皿２２５に溜まった液体が循環されるように構成されている。上記の構成によれば、例えば、該磁石２１９が振動すると、ノズル２１７も同様に振動し、ノズル２１７より噴出した液体の軌跡が揺動する。また、筐体２１１には、磁石２１９に対向した位置に電磁コイル２１３が設けられており、例えばその周辺にはＬＥＤランプ２１５が設けられている。
【００２６】
また、アクアディスプレイ装置Ａの場合と同様に、コントロールボックス２２７には、電磁コイル２１３とランプ２１５とを駆動するための制御部２４１と、電源スイッチ２３５、外部入力感度調整ツマミ２３３、マイクロフォン２２９、外部入力端子２３７、電源入力端子２３９が設けられ、さらに、ポンプ２４２用の水量調節つまみ２３１も設けられている。
【００２７】
図３に示すように、例えばミュージックプレイヤー６５の第１の出力端子６５ａからの
出力信号がコード６７と外部入力端子５７とを介して制御部３３に入力される。一方、ミ
ュージックプレイヤー６５の第２の出力端子６５ｂからは、直接又はイヤフォンなどを介
して外部に出力されユーザがその音楽などを聞くことができる。
【００２８】
図４は、アクアディスプレイ装置Ａにおける、第２の筐体３の制御部３３の一構成例であり、図１１は、アクアディスプレイ装置Ｂにおける制御部２４１の一構成例を示す機能ブロック図である。尚、破線内以外は図４と同じ符号を用いた。この制御部２４１は、マイクロフォン端子５５から入力信号のうちの必要な周波数成分のみを取り出すバンドバスフィルタ７１と、その出力信号を増幅する増幅器７３と、増幅された信号をＡ／Ｄ変換するＡ／Ｄ変換器７７ａと、得られたデジタル信号を受けて信号処理を行い、例えば３３Ｈｚの固定パルス信号（ｆ１）と、例えば３５Ｈｚから２７Ｈｚの間の可変パルス信号（ｆ２）とを別々に出力するＣＰＵ／メモリ７７ｂと、を有するワンチップマイコン７７と、固定パルス信号を受けて電磁石３５を駆動させるドライバー８３と、可変パルス信号を受けてＬＥＤランプ４１を駆動するドライバー８１と、を有している。
【００２９】
また、アクアディスプレイ装置Ｂにおいては、もう１組の電磁コイル３５ｂとドライバー８３ｂとを有し、液体を循環させるポンプ２３５と、液体の循環量を制御する制御装置２３７と流量調整部２３９とを有している。
【００３０】
尚、必要な周波数成分は、例えば可聴周波数（約２０Ｈｚ〜２０ＫＨｚの範囲）であっても良い。
【００３１】
ストロボ光を用いる理由について説明する。繰り返し規則的に発生する波紋をストロボ光ではない普通の光源で見た場合には、連続したつなぎ目の無い波紋が重なって、ブレた映像として見えることになる。一方、波紋の周期（振動数）と同一の周期で発光するストロボ光を照射した場合には、くり返し同じ波の形状が残像として見えるため、静止画像の様に見える。また、ストロボ光の周期をわずかに変化させた場合には、変化した時間方向に波紋の形状も変化するため、ゆっくりと動いているように見える。外的刺激や内部操作によってこの周期を制御して、間接的に波紋を変化させることが、この装置の特徴の１つである。
【００３２】
尚、波紋に限らず、アクアディスプレイ装置Ｂで表現している、周期性のある液体の遥動にも同様の効果がある。
【００３３】
以下に、上記アクアディスプレイ装置の動作について説明する。本実施の形態によるディスプレイ装置のディスプレイの様子を示す図である。図５は、図１の装置の動作をより詳細に説明するための図であり、第１の筐体１、第２の筐体３、箱体１１、制御部３１を有している。支持部１７と揺動部（波紋生成部）２５との間に板バネ２１が設けられている。この場合には、符号ＡＲ１，２に示すように、揺動部２５が水面から出たり入ったりするように揺動するため、符号１１ｂに示すように、同心円状の波紋が生成される。
【００３４】
上記のように、電磁石３５は例えば３３Ｈｚ（±２％以内）の固定周波数で駆動している。この電磁石３５の振動は、対向して配置されている磁石２３を揺動させる。この揺動は、最終的に半球上の揺動部２５ｃに伝わり、水面１５ａに同心円状の波紋を形成する。波紋は、周波数ｆ１に同期して発生する。一方、ｆ２はｆ１に近似する周波数であり、例えば約３５Ｈｚである。この周波数に対して、例えば最大の変調が加わった場合、約２７Ｈｚになる。もちろん、これらの周波数値は変更可能である。
【００３５】
ここで、周波数ｆ２が周波数ｆ１よりも大きい場合、波紋は波紋発生板揺動部２５ｃ
に向って動くように見え、一方、外部入力に依存する周波数ｆ２が周波数ｆ１より小さい場合には、ストロボ効果により波紋発生板から波紋が離れる方向に動いて見える。周波数調整された波紋とＬＥＤランプ光４３との協働により波紋をゆったりとしたイメージにすることも可能であり、それを見たユーザの心を和ませる、いわゆるリラクゼーション効果を発揮させることができる。
【００３６】
尚、第１の筐体３の底面にホログラム板などを置くことで、波紋とＬＥＤ光のホログラム板からの反射光との相乗効果により、波紋をよりきれいに見せることも可能となる。
【００３７】
尚、揺動部２５ｃを水面１５ａからわずかに頭を出すように配置するのが好ましい。揺動部２５ｃを水中に沈めた場合には、極端に波紋が小さくなる。これは加振装置に余力が無いためと推測される。一方、あまり強力に揺動させると、波紋に「ザラザラ」した表情が表われ、「ゆったりとしたイメージ」が損なわれる。
【００３８】
さらに、ホログラムを波紋よりも下に配置することで、よりきれいなディスプレイを生成することができる。尚、下に配置するホログラムの代わりに音楽用又は映像用の媒体（ＣＤ、ＤＶＤなど）を用いても良い。ストロボ光（ＬＥＤ光４３）を砂や貝ガラや石などを敷き詰めた底部に照射し、波紋によってそれらが屈折して見える様子を楽しむことも出来る。
【００３９】
以上に説明したように、本実施の形態によるアクアディスプレイ装置Ａによれば、ＬＥＤランプ光を照射した水面において、例えばミュージックなどの外部入力に依存して波紋の動きを調整することができる。ミュージックを聴いている場合には、そのミュージックと関連させて波紋が変化するため、ディスプレイをより一層楽しむことができる。
【００４０】
以下に、アクアディスプレイ装置Ｂの動作について図面を参照しながら説明を行う。上述のように、図９は外観図であり、図１０は噴出部の詳細な構成例を示す図である。
【００４１】
図９において、筐体２１１の上方に磁石２１９を取り付けたノズル２１７が、シリコンチューブ２２１によって接続され、液体の通路が確保されると共に、柔軟な構造で筐体２１１に保持されている。磁石２１９と対応する位置に電磁コイル２１３が配置され、コントロールボックス２２７に設けられる制御部２４１から交流パルスが供給され、磁石２１９を吸引したり、反発したりするように構成されている。それに従って、ノズル２１７が振動させることで、ノズル２１７を通過し噴出される流体２４３に遥動が与えられる。
【００４２】
ノズル２１７の周辺には、ＬＥＤランプ２１５が設けられ、噴出された液体２４３にストロボ光が照射される。ストロボ光と液体２４３との関係は、すでにアクアディスプレイ装置Ａでの説明した内容と同じであるため、ここでの説明は省略する。
【００４３】
図１０は噴出部の、電磁コイル２１３、磁石２１９、ノズル２１７、シリコンチューブ２２１の関係を詳細に示す図である。ここで、図１０（Ｂ）は、噴出部を下方から見た図で、実際には２個の電磁コイルが２１３ａ・２１３ｂが、例えば９０度の角度で配置されている。各電磁コイル２１３ａ・２１３ｂには、コントロールボックス２２７から、それぞれ独立した経路で交流パルスが供給されるようになっている。
【００４４】
両者のパルス信号には、外的刺激に連動したわずかな位相差が与えられている。これにより、結果的に、ノズル２１７に、外的刺激２３０に印加及び変化に応じて、例えば、円、楕円、直線等の運動を連続して行わせる動き（リサジュー図形）を発生させることができる（図１２：符号２４３ａ、２４３ｂ参照）。
【００４５】
ノズル２１７より噴出した流体２４３は、下方にある受け皿に溜められ（２２３）、コントロールボックス２２７内の液体ポンプ２４２により汲み上げられ、循環されるようになっている。
【００４６】
液体ポンプ２４２は、コントロールボックス２２７内の制御部２４１で流量をコントロールされ、水量調節ツマミ２３１により任意の水量に設定することが出来る。尚、図中には明記されていないが、ポンプの脈動を低減するために、脈動低減装置が装備されていることが好ましい。
【００４７】
また、ノズルを上方に配置し、水を下方に落下させる例を示したが、図９に符号２１８で示すように、ノズルを下方に配置し、液体２４３’を上方に向けて噴出するように構成しても良い。すなわち、ノズルの配置位置は限定されるものではない。
【００４８】
次に、本発明の第２の実施の形態によるディスプレイ装置について説明する。図６は、図１に対応する図であり、第１の筐体１、第２の筐体３、箱体１１、制御部３１を有している。図６に示す構成と図５に示す構成との主要な相違点は、支持部１１７により支持された揺動部（波紋生成部）１０１が、第１の箱体１１の一側面と平行な方向に延在し、電磁石３５と磁石２３との相互作用により、符号ＡＲ３〜５に示すように揺動し、１１ａに示すように一側面に平行な波紋を生成する点である。動作原理自体は第１の実施の形態と同様であるため説明を省略する。
【００４９】
次に、本発明の第３の実施の形態によるディスプレイ装置について説明する。図７は、図１に対応する図であり、第１の筐体１、第２の筐体３、箱体１１、制御部３３を有している。図７に示す構成と図１に示す構成との主要な相違点は、支持部１７と揺動部（波紋生成部）１２５との間にコイルバネ１２１が設けられている点である。この場合には、符号ＡＲ６、ＡＲ７に示すように、揺動部１２５が水面から出たり入ったりするように揺動するため、符号１１ｂに示すように、同心円状の波紋が生成される。動作原理自体は第１の実施の形態と同様であるため説明を省略する。本実施の形態では、揺動部を小さくでき省スペース化が可能となる。
【００５０】
図８は、第１の実施の形態によるディスプレイ装置の外観例を示す斜視図である。きれいな波紋が見えていることがわかる。
【００５１】
以上に説明したように、本実施の形態によるアクアディスプレイ装置によれば、ＬＥＤランプ光を照射した液体において、例えばミュージックなどの外部入力に依存して液体の形状変化を調整することができる。ミュージックを聴いている場合には、そのミュージックと関連させて液体の形状が変化するため、ディスプレイをより一層楽しむことができる。
【００５２】
以上に説明したように、本実施の形態によるアクアディスプレイ装置を用いると、外部入力に依存して液体の形状変化を調整できるため、ユーザは、例えば音楽などを聞きながら、その音楽と関連する液体の形状変化を見て楽しむことができる。例えば、音楽のテンポや楽曲自体が変更になると、そのタイミングで液体の形状が変化するようになる。
【００５３】
尚、本実施の形態によるディスプレイ装置の応用としては、個人的に楽しむ小型な装置だけでなく、喫茶店、バーなどのテーブルやカウンター、ホテルのロビー、各イベント会場でのディスプレー設備、養護施設などの癒しの設備として複数の人たちが見ることに対応した（少し大きめの）装置にも応用できる。設置方法に関しては、上から眺めるだけでなく、下から波紋を見上げるアングルにすることもできる。また、ストロボ光の位置も、水中や振動板内に埋め込んで発光させる構成などをとると、見た目にも異なる効果が得られる。特にアクアディスプレイ装置Ｂの応用では、今までに無い特徴的な噴水設備が実現可能である。
【００５４】
さらに、テーブルやカウンターにセットする場合には、蓋（透明なもの）が必要になる。但し、その他の用途では、むしろ露出させた方が効果的な場合も多い。媒体が、自然な物質である水（であるため）を用いれば、癒しの意味においても効果的である。水の補充と交換は周知の「方法で可能である。
【００５５】
水を媒体にすると、特に生き物に対し直接的な悪影響を与える要素は無いため、熱帯魚の水槽などにもセット可能である。また、媒体に関しては、着色や香り付けなどが可能である。ガスなどの気体は、密度の違い等から振動の周波数が低くなるが、周波数を変更することで実現可能である。
【００５６】
また、上記ストロボ光の外的刺激による変調によって得られる効果は、ある周波数で変調される液体の波紋に限らず、ある周波数で同じ動作を繰り返し行う物体を対象とすることができ、物体に外的刺激を与えることで物体の動作に変調を与えることができるという同様の結果を得る事が出来ることは言うまでもなく、請求項に記載された範囲において、このようなものも本発明の範囲に入るものである。
【００５７】
また、外部入力としてはミュージック以外に、脳波、脈拍、声、環境音（録音も含む）等が挙げられる。尚、ストロボ光の発光位置は、図面に示した例に限定されるものではなく、（水面）媒体に届く位置であれば良い。発光部と、ディスプレイ装置とが別体に構成されていても良い。
【産業上の利用可能性】
【００５８】
本発明は、ディスプレイ装置に利用可能である。
【図面の簡単な説明】
【００５９】
【図１】本発明の第１の実施の形態によるアクアディスプレイ装置の一構成例を示す側面図である。
【図２】本発明の第１の実施の形態によるアクアディスプレイ装置の一構成例を示す正面図である。
【図３】本発明の第１の実施の形態によるアクアディスプレイ装置の一構成例を示す背面図である。
【図４】第２の筐体の制御部の一構成例を示す機能ブロック図である。
【図５】本実施の形態によるディスプレイ装置のディスプレイの様子を示す図である。
【図６】本発明の第２の実施の形態によるディスプレイ装置であり、図１に対応する図である。
【図７】本発明の第３の実施の形態によるディスプレイ装置であり、図１に対応する図である。
【図８】図１に示すディスプレイ装置の外観例を示す斜視図である。
【図９】本発明の第１の実施の形態の変形例によるアクアディスプレイ装置の一構成例を示す側面図と背面図である。
【図１０】図９のうちのノズル近傍の詳細な構成を示す図である。
【図１１】本発明の第１の実施の形態の変形例によるアクアディスプレイ装置制御部の一構成例を示す機能ブロック図である。
【図１２】本変形例によるディスプレイ装置のディスプレイの様子を示す図である。
【符号の説明】
【００６０】
Ａ…アクアディスプレイ装置、１…第１の筐体、３…第２の筐体、１１…透明な箱体、１５…流体、１７…支持部、２１…弾性片、２３…磁石、２５ａ…基部、２５ｂ…鉄心（支柱部）、２５ｂ…支柱部、２５ｃ…揺動部、３５…電磁石、４１…ＬＥＤランプ。
【図１】
2009020480.tif 000003
【図２】
2009020480.tif 000004
【図３】
2009020480.tif 000005
【図４】
2009020480.tif 000006
【図５】
2009020480.tif 000007
【図６】
2009020480.tif 000008
【図７】
2009020480.tif 000009
【図８】
2009020480.tif 000010
【図９】
2009020480.tif 000011
【図１０】
2009020480.tif 000012
【図１１】
2009020480.tif 000013
【図１２】
2009020480.tif 000014